(57)【要約】【課題】タッチＡＦにより焦点が制御された後、ユーザが焦点を速やかに調整できる撮像装置を提供する。【解決手段】撮像装置１０は、焦点調節機構２２０を含む撮影光学系２０により形成された被写体像を撮像する撮像部１１０と、表示部１０５ａ及び当該表示部に対するユーザの操作を検出する位置検出部１０５ｂを備えたタッチパネル１０５と、位置検出部１０５ｂがユーザの操作を検出した位置において前記被写体像が合焦するように焦点調節機構２２０を制御する合焦制御部１００と、タッチパネル１０５に対するユーザの操作に基づいて焦点調節機構２２０を駆動する焦点制御部１００と、合焦制御部１００において焦点調節機構２２０の制御が行われた後、焦点制御部１００による焦点の制御に切り替える制御部１００と、を備える。【選択図】図１
2016065998.tif 000002
【特許請求の範囲】
【請求項１】
焦点調節機構を含む撮影光学系により形成された被写体像を撮像する撮像部と、
表示部及び当該表示部に対するユーザの操作を検出する位置検出部を備えたタッチパネルと、
前記位置検出部がユーザの操作を検出した位置において前記被写体像が合焦するように前記焦点調節機構を制御する合焦制御部と、
前記タッチパネルに対するユーザの操作に基づいて前記焦点調節機構を駆動する焦点制御部と、
前記合焦制御部により前記焦点調節機構の制御が行われた後、前記焦点制御部による焦点の制御に切り替える制御部と、
を備える撮像装置。
【請求項２】
請求項１に記載の撮像装置において、
前記制御部は、前記焦点制御部による焦点の制御に切り替えた際に、前記焦点調節機構を駆動するための操作部を、前記タッチパネルの前記表示部に表示させる撮像装置。
【請求項３】
請求項２に記載の撮像装置において、
前記制御部は、前記合焦制御部の制御において前記被写体像が非合焦となった場合に、前記焦点制御部による焦点の制御に切り替える撮像装置。
【請求項４】
請求項２又は３に記載の撮像装置において、
前記操作部は、前記被写体像の焦点を調整可能な範囲を示す指標を含む撮像装置。
【請求項５】
請求項４に記載の撮像装置において、
前記制御部は、前記合焦制御部により前記焦点調節機構の制御が行われた後、前記被写体像のデフォーカス量に基づいて、前記被写体像の焦点を調整可能な範囲の異なる指標を前記タッチパネルの前記表示部に表示させる撮像装置。
【請求項６】
請求項５に記載の撮像装置において、
前記制御部は、前記デフォーカス量が規定値に満たない場合は、前記被写体像の焦点を調整可能な範囲が狭い指標を前記タッチパネルの前記表示部に表示させ、前記デフォーカス量が規定値を超える場合は、前記被写体像の焦点を調整可能な範囲の広い指標を前記タッチパネルの前記表示部に表示させる撮像装置。
【請求項７】
請求項２から６のいずれかに記載の撮像装置において、
前記操作部は、スライドバーであり、
前記制御部は、前記タッチパネルの前記位置検出部がユーザの操作を検出した位置に基づいて、前記スライドバーをタッチパネルの前記表示部に対して横位置又は縦位置に表示させる撮像装置。
【請求項８】
請求項１から６のいずれかに記載の撮像装置において、
前記制御部は、前記タッチパネルの前記表示部に、前記被写体像の焦点状態を確認するサブ画像を表示させる撮像装置。
【請求項９】
請求項８に記載の撮像装置において、
前記サブ画像は、前記位置検出部がユーザの操作を検出した位置における前記被写体像を拡大した画像である撮像装置。
【請求項１０】
焦点調節機構を含む撮影光学系により形成された被写体像を撮像する撮像部と、表示部及び当該表示部に対するユーザの操作を検出する位置検出部を備えたタッチパネルと、を備えた撮像装置の撮像プログラムであって、
コンピュータを、
前記位置検出部がユーザの操作を検出した位置において前記被写体像が合焦するように前記焦点調節機構を制御する合焦制御手段と、
前記タッチパネルに対するユーザの操作に基づいて前記焦点調節機構を駆動する焦点制御手段と、
前記合焦制御手段により前記焦点調節機構の制御が行なわれた後、前記焦点制御手段による焦点の制御に切り替える制御手段と、
として機能させる撮像プログラム。
【発明の詳細な説明】
【技術分野】
【０００１】
この発明は、撮像装置及び撮像プログラムに関する。
【背景技術】
【０００２】
タッチＡＦの機能を備えた撮像装置は、ユーザの指がタッチパネルにタッチした位置に焦点を合わせ、ユーザの指がタッチパネルから離れたときに撮影を実行する（例えば、特許文献１参照）。
【先行技術文献】
【特許文献】
【０００３】
【特許文献１】特開２０１３−１７０８８号公報
【発明の概要】
【発明が解決しようとする課題】
【０００４】
タッチＡＦの機能を備えた撮像装置において、タッチＡＦにより焦点が制御された後、ユーザが焦点を速やかに調整することができない。
【課題を解決するための手段】
【０００５】
本発明の一実施形態は、焦点調節機構を含む撮影光学系により形成された被写体像を撮像する撮像部と、表示部及び当該表示部に対するユーザの操作を検出する位置検出部を備えたタッチパネルと、前記位置検出部がユーザの操作を検出した位置において前記被写体像が合焦するように前記焦点調節機構を制御する合焦制御部と、前記タッチパネルに対するユーザの操作に基づいて前記焦点調節機構を駆動する焦点制御部と、前記合焦制御部により前記焦点調節機構の制御が行われた後、前記焦点制御部による焦点の制御に切り替える制御部と、を備える撮像装置である。
また、本発明の一実施形態は、焦点調節機構を含む撮影光学系により形成された被写体像を撮像する撮像部と、表示部及び当該表示部に対するユーザの操作を検出する位置検出部を備えたタッチパネルと、を備えた撮像装置の撮像プログラムであって、コンピュータを、前記位置検出部がユーザの操作を検出した位置において前記被写体像が合焦するように前記焦点調節機構を制御する合焦制御手段と、前記タッチパネルに対するユーザの操作に基づいて前記焦点調節機構を駆動する焦点制御手段と、前記合焦制御手段により前記焦点調節機構の制御が行なわれた後、前記焦点制御手段による焦点の制御に切り替える制御手段と、として機能させる撮像プログラムである。
【図面の簡単な説明】
【０００６】
【図１】実施形態に係るカメラ１の概略構成図である。
【図２】タッチＡＦモードにおけるタッチパネル１０５の表示例を示す説明図である。
【図３】スライドバーと焦点の調整可能範囲との関係を示す概念図である。
【図４】タッチＡＦモードにおけるカメラＣＰＵ１００の処理手順を示すフローチャートである。
【図５】スライドバーの他の表示例を示す説明図である。
【発明を実施するための形態】
【０００７】
以下、本発明の実施形態として、本発明に係る撮像装置及び撮像プログラムを、デジタルカメラ（以下、「カメラ」ともいう）に適用した例について説明する。図１は、本実施形態に係るカメラ１の概略構成図である。本実施形態に係るカメラ１は、カメラボディ１０にレンズ鏡筒２０が着脱自在に装着されるレンズ交換式のデジタル一眼レフカメラとして構成される。
【０００８】
カメラボディ１０は、カメラＣＰＵ１００と、測光部１０１と、焦点検出部１０２と、シャッタユニット１０３と、を備える。また、カメラボディ１０は、タッチパネル１０５と、表示パネル１０６と、メモリカードＩ／Ｆ部１０７と、撮像部１１０と、記憶部１２０と、操作入力部１３０と、を備える。
【０００９】
カメラＣＰＵ１００は、レンズ鏡筒２０が装着されたカメラ１全体の動作を制御する半導体回路であり、マイクロプロセッサにより構成される。カメラＣＰＵ１００は、焦点検出部１０２で検出されたデフォーカス量に基づいてレンズ駆動量を演算すると共に、このレンズ駆動量に対応したレンズ制御信号をレンズＣＰＵ２００（後述）に送信する。
【００１０】
カメラＣＰＵ１００は、測光部１０１で取得された被写体の測光情報や、レンズ装着時にレンズＣＰＵ２００から送信されたレンズの種類、開放Ｆ値、焦点距離等のレンズ情報のほか、感度設定部（不図示）からの感度情報等に基づいて適正な露出値を演算する。そして、演算した露出値に応じた絞り値とシャッタスピード値を選択し、絞り値（絞り駆動信号）をレンズＣＰＵ２００へ、シャッタスピード値をシャッタ制御部１０４へそれぞれ送信する。
【００１１】
カメラＣＰＵ１００は、基本的な表示制御として、撮像部１１０で撮像された被写体像の静止画像、ライブビュー画像又は動画像を、タッチパネル１０５（後述）の表示画面に表示させる。
また、カメラＣＰＵ１００は、ユーザが操作入力部１３０に対して行なった操作を取得して、ユーザが操作入力部１３０に対して行なった操作の内容を表示パネル１０６又はタッチパネル１０５に表示する。
【００１２】
カメラＣＰＵ１００は、レンズＣＰＵ２００を介してレンズ内モータ２４０（後述）を駆動し、焦点調節用レンズ群２１０ａ（レンズ２１０）のレンズ駆動量を制御する。
カメラＣＰＵ１００は、撮像素子（撮像部１１０）の撮像面において被写体像の焦点を合わせるためのレンズ制御信号を、レンズＣＰＵ２００へ送信する。このレンズ制御信号は、焦点調節用レンズ群２１０ａのレンズ駆動量に関する制御情報を含む信号である。
【００１３】
カメラＣＰＵ１００は、ライブビュー撮影において、タッチＡＦモード（後述）が選択されている場合に、以下の制御を実行する。
カメラＣＰＵ１００は、タッチパネル１０５においてユーザがタッチしたこと（以下、「タッチダウン」ともいう）が検出されると、その位置で検出されたデフォーカス量に基づいてレンズ駆動量を演算し、そのレンズ駆動量に対応したレンズ制御信号をレンズＣＰＵ２００に送信する。これにより、レンズＣＰＵ２００は、タッチパネル１０５でユーザがタッチした位置で被写体像が合焦するように、焦点調節機構２２０を制御する。
【００１４】
カメラＣＰＵ１００は、タッチＡＦにより被写体像が合焦した後、タッチパネル１０５においてユーザが指を離したこと（以下、「タッチアップ」ともいう）が検出されると、撮像部１１０を制御して被写体像の撮影（撮像処理）を実行させる。
【００１５】
また、カメラＣＰＵ１００は、タッチＡＦにより被写体像が非合焦となった場合、タッチパネル１０５に対するユーザの操作に基づいて焦点調節機構２２０を駆動する制御に切り替える。
被写体像が非合焦になる場合としては、例えば、被写体のコントラストが低い場合、被写体の輝度が極端に明るい又は暗い場合等が挙げられる。このような状況下では、カメラＣＰＵ１００が演算したレンズ駆動量によりレンズ２１０の焦点を調節しても、非合焦となる場合がある。
【００１６】
そこで、カメラＣＰＵ１００は、タッチＡＦによる焦点の制御で被写体像が非合焦となった場合、ユーザの操作により焦点を調整できるようにするため、タッチパネル１０５に対するユーザの操作に基づいて焦点調節機構２２０を駆動する制御に切り替える。カメラＣＰＵ１００が、タッチパネル１０５に対するユーザの操作に基づいて焦点調節機構２２０を駆動する制御の具体例については後述する。
【００１７】
測光部１０１は、ＣＣＤ又はＣＭＯＳのイメージセンサにより構成された基板回路である。測光部１０１は、レリーズボタン（後述）の半押し等の操作が行われることで測光を開始し、ファインダスクリーン（不図示）上に結像する被写体の輝度に関する情報（測光情報）を検出する。検出された測光情報は、カメラＣＰＵ１００へ送信され、露出演算のほか、ストロボ調光、ホワイトバランスの制御等に用いられる。
【００１８】
焦点検出部１０２は、ＡＦモジュール（不図示）又はイメージセンサ（撮像部１１０）の位相差検出画素（不図示）に入射した被写体光に基づいて、位相差検出方式によりデフォーカス量を検出する。具体的には、焦点検出部１０２は、画面内に配置された所定の測距エリア（不図示）又はイメージセンサに配置された位相差検出画素において、位相差検出方式により被写体像のデフォーカス量を検出し、デフォーカス情報としてカメラＣＰＵ１００へ送信する。
【００１９】
シャッタユニット１０３は、撮像部１１０の被写体方向前側に配置され、シャッタ羽根（不図示）を開閉することにより、撮像素子に被写体光を露光させる。
シャッタ制御部１０４は、シャッタユニット１０３を駆動する制御回路である。シャッタ制御部１０４は、カメラＣＰＵ１００により動作が制御される。即ち、ユーザがレリーズボタン（不図示）を指等で押し下げると、カメラＣＰＵ１００によりシャッタ制御部１０４が制御され、シャッタユニット１０３が駆動される。これにより、被写体像が撮影画像として撮像部１１０に取り込まれる。
【００２０】
撮像部１１０は、イメージセンサと画像処理部（いずれも不図示）とから構成される。本実施形態のイメージセンサは、ＣＭＯＳセンサの撮像面に位相差検出画素を組み込んだ、いわゆる像面位相差ＡＦセンサである。
静止画撮影、ライブビュー撮影等において、レンズ２１０により結像された被写体像は、イメージセンサの撮像センサで受光され、アナログの画像信号としてＤＲＡＭ（記憶部１２０）に一時的に記憶される。画像処理部は、ＤＲＡＭに記憶されている画像信号に対し、ノイズ除去、Ａ／Ｄ変換、色補間処理、サイズ変更、符号化等のアナログ及びデジタルの画像処理を行い、最終的な画像データを作成する。
【００２１】
また、ライブビュー撮影において、レンズ２１０により結像された被写体像の一部は、イメージセンサの位相差検出画素で受光され、焦点検出部１０２へ送信される。焦点検出部１０２は、イメージセンサの位相差検出画素で受光された被写体像に基づいて、位相差検出方式によりデフォーカス量を検出し、デフォーカス情報としてカメラＣＰＵ１００に送信する。
【００２２】
タッチパネル１０５は、ユーザによるタッチ、ジェスチャーを含む操作入力を取得可能な表示入力装置であり、カメラボディ１０の背面に配置される。タッチパネル１０５は、表示部１０５ａと、位置検出部１０５ｂと、を備える。
表示部１０５ａは、撮影モード、絞り値、シャッタスピード等の撮影情報や、メニュー画面、モード設定画面のほか、撮影画像（静止画像、動画像、ライブビュー画像）等を表示する。
【００２３】
位置検出部１０５ｂは、ユーザの指が位置検出部１０５ｂの表面にタッチした位置、及びユーザの指が位置検出部１０５ｂの表面で移動（ジェスチャー）したときの領域を検出し、操作位置情報としてカメラＣＰＵ１００へ送信する。位置検出部１０５ｂは、表示部１０５ａの表示面側に重ねて配置される。
【００２４】
位置検出部１０５ｂは、光透過性を有する部材により構成される。そのため、ユーザは、位置検出部１０５ｂを介して、表示部１０５ａに表示された画像を視認することができる。例えば、ユーザが表示部１０５ａに表示されたライブビュー画像を見ながら、焦点を合せたい位置を目標にして位置検出部１０５ｂの表面を指でタッチすると、ユーザの指がタッチした位置が位置検出部１０５ｂで検出され、その操作位置情報が制御部１００に送信される。制御部１００は、位置検出部１０５ｂから送信された操作位置情報に基づいて、ユーザが表示部１０５ａのどの位置にタッチしたかを特定することにより、その位置に表示されている被写体像に焦点を合わせることができる。
【００２５】
表示パネル１０６は、カメラボディ１０の上面に配置された白黒の液晶パネルである。表示パネル１０６は、主に撮影モード、絞り値、シャッタスピード等の撮影情報を表示する。
上述したタッチパネル１０５、表示パネル１０６における画像データや情報画面の表示は、表示制御回路（不図示）を介してカメラＣＰＵ１００により制御される。
【００２６】
記憶部１２０は、ＶＲＡＭ、ＥＥＰＲＯＭ、ＤＲＡＭ、及びＲＯＭ（いずれも不図示）から構成される。
ＶＲＡＭは、タッチパネル１０５に表示する画像データを一時的に保持するメモリであり、撮影画像等が保持される。ＥＥＰＲＯＭは、カメラ１の電源がオフしても記憶した情報を保持する不揮発性メモリであり、ユーザ設定やカスタム設定等の入力情報が記憶される。ＤＲＡＭは、カメラ１の電源がオフしたときに記憶した情報が消去される揮発性メモリである。ここには、画像処理部１１２により画像処理された画像信号や、この画像処理により得られた最終的な画像データのほか、カメラＣＰＵ１００等が処理を行う際に必要なデータ等が記憶される。ＲＯＭは、カメラ１の動作や制御に必要なプログラム（例えば、撮像プログラム）のほか、このプログラムの実行に必要な初期値や設定値等が記憶される。
【００２７】
操作入力部１３０は、ユーザにより操作されるダイアル、ボタン、スイッチ等により構成される。例えば、操作入力部１３０は、レリーズボタン、メインダイアル、サブダイアル、セレクタダイアルのほか、フォーカスモードボタン（いずれも不図示）等により構成される。レリーズボタンは、ユーザが撮影を開始する際に操作される。メインダイアル及びサブダイアルは、ユーザが露出モードの設定、絞り値、シャッタスピード、露出補正値等を入力する際に操作される。セレクタダイアルは、ユーザがタッチパネル１０５、表示パネル１０６に表示された撮影条件の変更操作、メニュー項目、撮影済み画像の変更操作等を行う際に操作される。
【００２８】
フォーカスモードボタンは、ユーザがオートフォーカスとマニュアルフォーカスとを切り替える際に操作される。ユーザは、フォーカスモードボタンを操作することにより、マニュアルフォーカスモードのほか、オートフォーカスのモードとして、シングルＡＦモード、コンティニュアスＡＦモード、タッチＡＦモード等を選択することができる。
【００２９】
マニュアルフォーカスモードは、ユーザが手動でレンズ鏡筒２０の焦点調節リングを操作することにより焦点の調節を行うモードである。
シングルＡＦモードは、ユーザがレリーズボタンを半押しすると、合焦のためのＡＦ駆動を開始し、合焦後に焦点がロックされるモードである。コンティニュアスＡＦモードは、ユーザがレリーズボタンを半押ししている間、被写体の動きに合わせて継続的にＡＦ駆動されるモードである。
【００３０】
タッチＡＦモードは、ユーザがタッチパネル１０５にタッチダウンしたときにＡＦ駆動を開始して、ユーザの指がタッチした位置に焦点を合わせ、ユーザがタッチパネル１０５からタッチアップしたときに撮影を実行するモードである。タッチＡＦモードは、主にライブビュー撮影において静止画像を撮影する際に選択される。
【００３１】
ライブビュー撮影では、カメラ背面のタッチパネル１０５に被写体像（ライブビュー画像）が表示される。ユーザは、タッチパネル１０５に表示されたライブビュー画像を見ながら、静止画像又は動画像を撮影することができる。なお、ライブビュー撮影は、操作入力部１３０のライブビューボタン（不図示）を操作することにより設定できる。ライブビュー撮影が設定されていない場合、ユーザは、光学ファインダ（不図示）を介して被写体像を視認する。
【００３２】
メモリカードＩ／Ｆ（インターフェース）部１０７は、記憶部１２０（ＶＲＡＭ）に記憶されている画像データをメモリカード１０８に記録し、またメモリカード１０８に記録されている画像データを読み出す機能を備えた書き込み／読み出し装置である。このメモリカードＩ／Ｆ部１０７のメモリカードスロット（不図示）には、規格に対応したメモリカード１０８が着脱自在に装着される。
なお、カメラボディ１０は、バッテリー（不図示）から出力された電力を各部の作動状況に応じて供給する電源回路部（不図示）を備える。
【００３３】
次に、レンズ鏡筒２０の構成について説明する。レンズ鏡筒２０は、レンズＣＰＵ２００と、レンズ２１０と、焦点調節機構２２０と、レンズ内モータドライバ２３０と、レンズ内モータ２４０と、絞りユニット２５０と、絞り制御部２６０と、を備える。
レンズＣＰＵ２００は、主に焦点調節機構２２０によるレンズ駆動と、絞りユニット２５０による絞り羽根の開閉を制御する回路であり、マイクロプロセッサにより構成されている。
レンズＣＰＵ２００は、カメラＣＰＵ１００から送信されたレンズ制御信号に基づいて、ドライバ駆動信号をレンズ内モータドライバ２３０に送信する。
【００３４】
また、レンズＣＰＵ２００は、カメラＣＰＵ１００から送信された絞り値（絞り駆動信号）に基づいて絞り制御部２６０を制御する。絞り制御部２６０は、絞り値に応じて絞りユニット２５０を制御する。絞りユニット２５０は、絞り値に応じて絞り羽根（不図示）の開閉量を制御する。これにより、絞りユニット２５０は、カメラＣＰＵ１００から送信された絞り値に相当する大きさの通過領域を形成する。被写体光は、この通過領域で光量が絞られて、撮像部１１０へ入射する。
【００３５】
また、レンズＣＰＵ２００は、レンズ鏡筒２０がカメラボディ１０へ装着された時に、内部メモリ（不図示）に記憶しているレンズの種類、開放Ｆ値、焦点距離、レンズ内モータ２４０の特性（例えば、最適環境下における最高速回転数）等のレンズ情報を、カメラボディ１０のカメラＣＰＵ１００に送信する。
【００３６】
レンズ２１０は、入射した被写体光を屈折させて、射出側となるカメラボディ１０の撮像部１１０の受光面に被写体像を結像する光学部材である。本実施形態のレンズ２１０は、一部のレンズを光軸方向に移動することにより焦点距離が可変なズームレンズとして構成されている。このレンズ２１０の一部のレンズは、焦点調節用レンズ群２１０ａとして機能する。また、レンズ２１０の一部のレンズは、焦点距離可変レンズ群２１０ｂとして機能する。図１では、これらのレンズ群を模式的に示している。
【００３７】
焦点調節機構２２０は、焦点調節用レンズ群２１０ａをレンズ２１０の光軸方向に移動させることにより、レンズ２１０の焦点を調整する機構である。この焦点調節機構２２０は、レンズ内モータ２４０により駆動される。なお、レンズ２１０が光軸方向に移動したときの焦点に関する情報は、距離検出部（不図示）により検出され、レンズＣＰＵ２００に送信される。
【００３８】
カメラボディ１０において、ユーザが操作入力部１３０を操作して、フォーカスモードをマニュアルフォーカスに切り替える操作を行なうと、焦点調節用レンズ群２１０ａと焦点調節機構２２０との機械的な連結が解除される。また、焦点調節用レンズ群２１０ａとレンズ鏡筒２０の外周部に設けられた焦点調節リング（不図示）とが機械的に連結する。このマニュアルフォーカスのモードでは、ユーザが手動で焦点調節リングを操作することにより焦点の調節が可能となる。
【００３９】
焦点距離可変レンズ群２１０ｂは、レンズ鏡筒２０に設けられたズームリング（不図示）の動きに連動して、レンズ２１０の光軸方向に移動する。レンズ２１０の焦点距離は、焦点距離可変レンズ群２１０ｂがレンズ２１０の光軸方向に移動することにより、広角側から望遠側までの間で無段階に変化する。
【００４０】
レンズ内モータドライバ２３０は、レンズ内モータ２４０を駆動するための駆動回路である。レンズ内モータドライバ２３０は、レンズＣＰＵ２００から送信されたドライバ制御信号に基づいて駆動信号（高周波電圧）を発生し、レンズ内モータ２４０に印加する。
【００４１】
レンズ内モータ２４０は、レンズ２１０を駆動するための回転力を発生する駆動源である。レンズ内モータ２４０は、例えば、超音波モータにより構成される。レンズ内モータ２４０は、レンズ内モータドライバ２３０から駆動信号が印加されることにより発生する回転運動が回転力として外部に取り出される。
【００４２】
絞りユニット２５０は、所定の絞り値に応じて複数枚の絞り羽根（不図示）を開閉することにより、被写体光の通過領域を形成する。この絞りユニット２５０における絞り羽根の開閉動作は絞り制御部２６０により駆動される。
【００４３】
レンズ鏡筒２０とカメラボディ１０との間は、マウント部２１により接合されている。マウント部２１は、カメラボディ１０に設けられたボディ側マウントと、レンズ鏡筒２０に設けられたレンズ側マウント（いずれも不図示）とで構成され、双方のマウントを係合させることによりカメラボディ１０とレンズ鏡筒２０とを連結することができる。図１では、ボディ側マウントとレンズ側マウントとを連結した構成をマウント部２１として示している。
【００４４】
なお、各マウントの周囲には、通信用接点のほか、電源接点（不図示）が設けられている。通信用接点は、ボディ側マウントに設けられた複数の電気接点と、レンズ側マウントに設けられた複数の電気接点とで構成される。ボディ側マウントとレンズ側マウントとを係合させると、双方の電極接点が各々接触する。これにより双方の電極接点同士が電気的に導通し、カメラＣＰＵ１００とレンズＣＰＵ２００との間での電気信号による通信が可能となる。同様に、ボディ側マウントに設けられた電気接点と、レンズ側マウントに設けられた電気接点と、により電源接点が構成される。この電源接点を介して、カメラボディ１０内に設けられた電源回路部（不図示）からの電力がレンズ鏡筒２０側に供給される。
【００４５】
次に、タッチＡＦモードによる撮影の具体例について説明する。図２は、タッチＡＦモードにおけるタッチパネル１０５の表示例を示す説明図である。図３は、スライドバーと焦点の調整可能範囲との関係を示す概念図である。
【００４６】
図２（ａ）は、ユーザがタッチダウンする前のライブビュー画像を示す。タッチＡＦモードにおいて、ユーザがタッチダウンする前のライブビュー画像では、主要被写体と思われる位置に合焦エリア１５１が表示される。合焦エリア１５１は、合焦しているエリアを示す。図２（ａ）では、画面の中央に位置する人物の顔に合焦エリア１５１が表示されている。
【００４７】
この状態で、ユーザが画面の左側に位置する人物の顔に焦点を合わせたいと思った場合、ユーザは、図２（ｂ）に示すように、画面の左側に位置する人物の顔の位置に指をタッチする（タッチダウン）。これにより、ユーザがタッチダウンした位置に合焦エリア１５２が表示され、ＡＦ駆動が開始される。そして、被写体像が合焦すると、合焦エリア１５２の枠が点灯（不図示）して、ユーザに合焦したことが通知される。
【００４８】
一方、被写体像が非合焦の場合、カメラＣＰＵ１００は、合焦エリア１５２で検出された被写体像のデフォーカス量（以下、「検出デフォーカス量」ともいう）に応じて、被写体像の焦点を調整可能な範囲を示す指標を含むスライドバー１５３又は１５４（後述）を表示させる。ユーザがスライドバー１５３又は１５４に沿って指を移動させる操作を行うと、カメラＣＰＵ１００は、指の移動量に応じたレンズ制御信号をレンズＣＰＵ２００へ送信して、被写体像の焦点を調整させる。即ち、スライドバー１５３又は１５４は、ユーザが焦点調節機構２２０を駆動するための操作部となる。
【００４９】
被写体像が非合焦の場合、カメラＣＰＵ１００は、検出デフォーカス量が、予め設定されたデフォーカス量の規定値を超えるか否かを判定する。
そして、カメラＣＰＵ１００は、検出デフォーカス量がデフォーカス量の規定値に満たないと判定した場合、表示制御回路（不図示）を制御して、図２（ｃ）に示すように、タッチパネル１０５に高信頼度用のスライドバー１５３を表示させる。
【００５０】
デフォーカス量の規定値は、被写体像がほぼ合焦している状態のデフォーカス量に基づいて設定される。従って、検出デフォーカス量がデフォーカス量の規定値に満たない場合は、ほとんど合焦している状態と見做せるため、ユーザが焦点を微調整できるように、高信頼度用のスライドバー１５３が表示される。
【００５１】
一方、カメラＣＰＵ１００は、検出デフォーカス量がデフォーカス量の規定値を超えると判定した場合、表示制御回路（不図示）を制御して、図２（ｄ）に示すように、タッチパネル１０５に低信頼度用のスライドバー１５４を表示させる。検出デフォーカス量がデフォーカス量の規定値を超える場合は、ほとんど焦点が合っていない状態と見做せるため、ユーザが焦点を素早く調整できるように、低信頼度用のスライドバー１５４が表示される。
【００５２】
カメラＣＰＵ１００は、被写体像が非合焦の場合、合焦エリア１５２の枠を点灯させることなしに、高信頼度用のスライドバー１５３又は低信頼度用のスライドバー１５４を合焦エリア１５２の近傍に表示させる。なお、以下の説明においては、高信頼度用のスライドバー１５３及び低信頼度用のスライドバー１５４を総称して「スライドバー」とも表記する。
【００５３】
高信頼度用のスライドバー１５３は、被写体像の焦点を調整可能な範囲の狭い指標を含む。具体的には、高信頼度用のスライドバー１５３の指標は、図３（ａ）に示すように、レンズのＡＦ駆動可能範囲に対して、焦点の調整可能範囲が狭く設定されている。即ち、ユーザの指の移動量に対して、焦点の移動量が小さくなるように設定されている。そのため、ユーザは、スライドバー１５３に沿って指を移動させたときに、その指の移動量よりも少ない変化量で焦点を調整することができる。従って、ユーザは、焦点の微調整を容易に行うことができる。また、高信頼度用のスライドバー１５３の指標は、スライドバーの模様の間隔が細かいため、ユーザは、スライドバーの模様を見ることにより、焦点の微調整が可能であることを理解することができる。
【００５４】
低信頼度用のスライドバー１５４は、被写体像の焦点を調整可能な範囲の広い指標を含む。具体的には、低信頼度用のスライドバー１５４の指標は、図３（ｂ）に示すように、レンズのＡＦ駆動可能範囲よりも少し狭い範囲に、焦点の調整可能範囲が設定されている。即ち、ユーザの指の移動量とほぼ同じ移動量で焦点が移動するように設定されている。そのため、ユーザは、スライドバー１５４に沿って指を移動させたときに、その指の移動量よりも大きな変化量で焦点を調整することができる。従って、ユーザは、焦点を素早く調整することができる。また、低信頼度用のスライドバー１５４の指標は、スライドバーの模様の間隔が広いため、ユーザは、スライドバーの模様を見ることにより、焦点の素早い調整が可能であることを理解することができる。
【００５５】
なお、本実施形態では、被写体像が非合焦の場合にスライドバーを表示する例について説明するが、被写体像が合焦の場合にスライドバーを表示する構成としてもよい。このような構成とすることにより、ＡＦ駆動により被写体像が合焦して、合焦エリア１５２の枠が点灯（不図示）した場合であっても、ユーザは、更にスライドバーを用いて被写体像の焦点を調整することが可能となる。
【００５６】
本実施形態では、図３に示すように、各スライドバーを、合焦エリア１５２において、画面上側の枠と重なるように表示させている。そのため、ユーザは、指をタッチダウンさせたまま、スライドバーに沿って左右に移動させることにより、被写体像の焦点を調整することができる。なお、後述するように、タッチパネル１０５に合焦エリア１５２が表示される位置に応じて、スライドバーは、タッチパネル１０５に対して縦位置に表示させてもよい。
【００５７】
なお、図３において、焦点の調整可能範囲を示すラインの中央に描かれた目印は、その時点での焦点位置を示す。そのため、例えば図２（ｃ）において、ユーザは、スライドバー１５３の中央の位置から指を左側に移動させることで、焦点を無限大側（奥行側）に調整することができる。また、ユーザは、スライドバー１５３の中央の位置から指を右側に移動させることで、焦点を至近側（手前側）に調整することができる。
【００５８】
また、カメラＣＰＵ１００は、スライドバーと共に、合焦エリア１５２と離れた位置にサブ画像１５５を表示させる。サブ画像１５５は、被写体像の焦点状態を確認するための画像であり、合焦エリア１５２に表示された被写体像を拡大した（又は同等の大きさの）画像である。サブ画像１５５としては、合焦エリア１５２の枠内に対応する画像が表示される。ユーザは、指をスライドバーに沿って移動させたときに、焦点状態の変化を、サブ画像１５５により確認することができる。
【００５９】
次に、タッチＡＦモードにおけるカメラＣＰＵ１００の動作について説明する。図４は、タッチＡＦモードにおけるカメラＣＰＵ１００の処理手順を示すフローチャートである。図４に示すフローチャートの処理は、記憶部１２０（図１参照）に記憶された撮像プログラムに基づいて、カメラＣＰＵ１００により実行される。また、このフローチャートの処理は、タッチＡＦモードが選択された後、ライブビュー撮影と同時に開始される。
【００６０】
図４に示すステップＳ１において、カメラＣＰＵ１００は、ライブビュー撮影を開始して、タッチパネル１０５に表示されるライブビュー画像の焦点と露出を制御する。
ステップＳ２において、カメラＣＰＵ１００は、タッチパネル１０５でタッチダウンが検出されたか否かを判定する。ステップＳ２において、カメラＣＰＵ１００の判定がＹＥＳであれば、処理は、ステップＳ３へ移行する。また、ステップＳ２において、カメラＣＰＵ１００の判定がＮＯであれば、処理は、ステップＳ１へ戻る。
【００６１】
ステップＳ３において、カメラＣＰＵ１００は、タッチパネル１０５でダッチダウンが検出された位置（タッチ位置）に表示された被写体像に対してＡＦ駆動を開始する。
ステップＳ４において、カメラＣＰＵ１００は、被写体像が合焦したか否かを判定する。ステップＳ４において、カメラＣＰＵ１００の判定がＹＥＳであれば、処理は、ステップＳ５へ移行する。また、ステップＳ４において、カメラＣＰＵ１００の判定がＮＯであれば、処理は、ステップＳ６へ移行する。
【００６２】
ステップＳ５において、カメラＣＰＵ１００は、タッチパネル１０５でタッチアップが検出されたか否かを判定する。ステップＳ５において、カメラＣＰＵ１００の判定がＹＥＳであれば、処理は、ステップＳ１０へ移行する。また、ステップＳ５において、カメラＣＰＵ１００の判定がＮＯであれば、処理は、ステップＳ５へ戻る。
【００６３】
なお、ステップＳ４の処理は、省略することができる。即ち、ステップＳ３において、タッチ位置に表示された被写体像に対してＡＦ駆動が行われた後、被写体像が合焦したか否かに係らずステップＳ６へ移行する。また、ステップＳ４の処理を省略する場合には、ステップＳ５の処理も省略される。
【００６４】
ステップＳ６において、カメラＣＰＵ１００は、被写体像の検出デフォーカス量がデフォーカス量の規定値を超えるか否かを判定する。ステップＳ６において、カメラＣＰＵ１００の判定がＹＥＳであれば、処理は、ステップＳ７へ移行する。また、ステップＳ６において、カメラＣＰＵ１００の判定がＮＯであれば、処理は、ステップＳ１３へ移行する。
【００６５】
ステップＳ７において、カメラＣＰＵ１００は、タッチパネル１０５に低信頼度用のスライドバーを表示させる。一方、ステップＳ１３（ステップＳ６：ＮＯ）において、カメラＣＰＵ１００は、タッチパネル１０５に高信頼度用のスライドバーを表示させる。
【００６６】
なお、ステップＳ６の処理は、省略することができる。即ち、ステップＳ４において、カメラＣＰＵ１００の判定がＮＯの場合、検出デフォーカス量に係らず、又はデフォーカス量を検出することなく、カメラＣＰＵ１００は、タッチパネル１０５にスライドバーを表示させる。この場合、ステップＳ７又はステップＳ１３は、スライドバーを表示するという同一の処理に集約される。
【００６７】
ステップＳ８において、カメラＣＰＵ１００は、スライドバーに対するユーザの操作（指の移動）に応じたレンズ制御信号をレンズＣＰＵ２００へ送信することにより、被写体像の焦点を調整する。カメラＣＰＵ１００は、低信頼度用のスライドバーを表示させた場合には、ユーザの指の移動量よりも焦点が大きく（例えば、１．５倍）移動するようにレンズ制御信号を設定する。また、カメラＣＰＵ１００は、高信頼度用のスライドバーを表示させた場合には、ユーザの指の移動量よりも焦点が小さく（例えば、０．２倍）移動するようにレンズ制御信号を設定する。
【００６８】
ステップＳ９において、カメラＣＰＵ１００は、タッチパネル１０５でタッチアップが検出されたか否かを判定する。ステップＳ９において、カメラＣＰＵ１００の判定がＹＥＳであれば、処理は、ステップＳ１０へ移行する。また、ステップＳ９において、カメラＣＰＵ１００の判定がＮＯであれば、処理は、ステップＳ８へ戻る。
【００６９】
ステップＳ１０において、カメラＣＰＵ１００は、撮像部１１０等を制御して、撮像処理を実行させる。
ステップＳ１１において、カメラＣＰＵ１００は、撮像した被写体像に基づいて、デジタルの画像データを作成する（画像処理）。
ステップＳ１２において、カメラＣＰＵ１００は、デジタルの画像データを圧縮し、画像ファイルとしてメモリカード１０８に記憶する。この後、カメラＣＰＵ１００は、本フローチャートの処理を終了する。
【００７０】
上述した実施形態に係るカメラ１によれば、以下のような効果を奏する。
（１）カメラ１において、カメラＣＰＵ１００は、タッチＡＦにより被写体像を合焦させる制御が行われた後、タッチパネル１０５に対するユーザの操作に基づいて焦点調節機構２２０を駆動する制御に切り替える。そのため、タッチＡＦにより焦点が制御された後、マニュアル操作による焦点の調整を希望するユーザは、フォーカスモードをマニュアルフォーカスモード等に切り替える動作を行うことなしに、タッチパネルに対して操作を行うことで焦点を速やかに調整することができる。
【００７１】
（２）カメラ１において、カメラＣＰＵ１００は、タッチＡＦによる焦点の制御で被写体像が非合焦となった場合に、タッチパネル１０５に対するユーザの操作に基づいて焦点調節機構２２０を駆動する制御に切り替える。そのため、タッチＡＦによる焦点の制御で被写体像が合焦した場合、焦点の調整を希望しないユーザは、タッチアップの動作を行うことにより、速やかに撮像処理を実行させることができる。また、タッチＡＦによる焦点の制御で被写体像が非合焦となった場合、焦点の調整を希望するユーザは、タッチパネルに対して操作を行うことにより、焦点を速やかに調整することができる。
【００７２】
（３）カメラ１において、カメラＣＰＵ１００は、タッチパネル１０５に対するユーザの操作に基づいて焦点調節機構２２０を駆動する制御に切り替えた際に、被写体像の焦点を調整可能な範囲を示す指標を含むスライドバーをタッチパネル１０５に表示させる。そのため、ユーザは、焦点を調整可能な範囲を容易に理解することができる。
【００７３】
（４）カメラ１において、カメラＣＰＵ１００は、タッチＡＦによる焦点の制御で被写体像が非合焦となった場合に、被写体像のデフォーカス量に基づいて、被写体像の焦点を調整可能な範囲の異なる指標を含むスライドバーをタッチパネル１０５に表示させる。そのため、ユーザは、被写体像の焦点を調整する際に、被写体像のデフォーカス量に適した操作を行うことができる。
【００７４】
（５）カメラ１において、カメラＣＰＵ１００は、被写体像の検出デフォーカス量がデフォーカス量の規定値に満たない場合には、被写体像の焦点を調整可能な範囲を示す指標の狭い高信頼度用のスライドバー１５３を表示させる。そのため、ユーザは、被写体像のデフォーカス量が小さい場合には、焦点の微調整を容易に行うことができる。また、カメラＣＰＵ１００は、被写体像の検出デフォーカス量がデフォーカス量の規定値を超える場合には、被写体像の焦点を調整可能な範囲を示す指標の広い低信頼度用のスライドバー１５４を表示させる。そのため、ユーザは、被写体像のデフォーカス量が大きい場合には、焦点を素早く調整することができる。
【００７５】
（６）カメラ１において、カメラＣＰＵ１００は、タッチパネル１０５に合焦エリア１５２が表示される位置に応じて、スライドバーをタッチパネル１０５に対して横位置又は縦位置に表示させる。例えば、カメラＣＰＵ１００は、タッチパネル１０５の端に合焦エリア１５２が表示された場合、スライドバーを縦位置に表示させる。ことによれば、バーのサイズを狭めることなく、本来のサイズのスライドバーを表示できるので、ユーザは、焦点の調整可能な範囲を適切に認識することができる。
【００７６】
（７）カメラ１において、カメラＣＰＵ１００は、タッチパネル１０５にサブ画像１５５を表示させる。これによれば、ユーザは、指をスライドバーに沿って移動させたときに、焦点状態の変化を、サブ画像１５５で確認することができる。そのため、ユーザは、合焦エリア１５２の焦点をより正確に調整することができる。
【００７７】
（変形形態）
以上説明した実施形態に限定されることなく、本発明は、以下に示すように種々の変形、変更が可能であり、それらも本発明の範囲内である。
本実施形態では、スライドバーを合焦エリア１５２の近傍に表示させる例について説明した。これに限らず、スライドバーを合焦エリア１５２と離れた位置に表示させてもよい。図５は、スライドバーの他の表示例を示す説明図である。図５（ａ）に示すように、タッチパネル１０５の端に合焦エリア１５２が表示された場合、例えば、高信頼度用のスライドバー１５３をタッチパネル１０５の中央上部に表示させる。この場合、ユーザは、指をタッチパネル１０５にタッチしたまま、スライドバー１５３の位置まで移動させる。そして、移動した位置で指を左右に移動させることにより、焦点を調整することができる。
【００７８】
同じく、図５（ｂ）に示すように、タッチパネル１０５の端に合焦エリア１５２が表示された場合、例えば、低信頼度用のスライドバー１５４をタッチパネル１０５の左端に縦位置に表示させる。この場合、ユーザは、指をタッチパネル１０５に対して縦方向に移動させることにより、焦点を調整することができる。なお、合焦エリア１５２が表示される位置に応じて、スライドバーを横位置又は縦位置のどちらで表示させるかは、ユーザにより任意に設定可能とすることが望ましい。
【００７９】
本実施形態では、被写体像の焦点を調整可能な範囲を示す指標を含む操作部として、スライドバーを例として説明した、これに限らず、ユーザが指を円に沿って時計回り又は反時計回りに移動させる、円形の操作部であってもよい。更に、タッチパネル１０５にスライドバー等の操作部を表示することなく、ユーザがタッチパネル１０５の表面にタッチさせた指を移動させるジェスチャーを行った場合に、指の移動方向及び移動量に応じて焦点を調整するようにしてもよい。
【００８０】
本実施形態では、検出デフォーカス量がデフォーカス量の規定値を超えるか否かにより、２種類のスライドバーのいずれかを表示させる例について説明した。これに限らず、デフォーカス量の規定値を複数設定しておき、それぞれの規定値に対応したスライドバーを表示させるようにしてもよい。また、デフォーカス量の規定値を、被写体像の輝度、撮影条件等に応じて変更してもよい。
【００８１】
本実施形態では、スライドバーの模様の間隔を変えることにより、ユーザにスライドバーの種類が異なることを認識させている。これに限らず、フォーカス量の大小に係らず、同じスライドバーを表示させてもよい。また、スライドバーを色分けしてもよいし、スライドバー毎に異なる模様で表示してもよい。
【００８２】
本実施形態では、合焦エリア１５２の枠内に対応する画像をサブ画像１５５としてタッチパネル１０５に表示させる例について説明した。これに限らず、合焦エリア１５２の枠内に対応する画像を、タッチパネル１０５において全画面表示させてもよい。
【００８３】
本実施形態では、本発明に係る撮像装置を、レンズ交換式のデジタル一眼レフカメラに適用した例について説明した。これに限らず、本発明に係る撮像装置を、レンズ交換式のデジタルカメラ、レンズ一体式のデジタルカメラ、携帯用電子機器に内蔵されたカメラ等に適用することもできる。
【００８４】
本実施形態では、位相差検出方式により被写体像のデフォーカス量を検出する例について説明した。これに限らず、本発明は、コントラスト検出方式により被写体像の焦点の状態を検出する方式に適用することもできる。
また、上記実施形態及び変形形態は適宜に組み合わせて用いることができるが、その実施形態の構成は図示と説明により明らかであるため、詳細な説明を省略する。更に、本発明は以上説明した実施形態によって限定されることはない。
【符号の説明】
【００８５】
１：カメラ、１０：ボディ、１００：カメラＣＰＵ、１０５：タッチパネル、１０５ａ：表示部、１０５ｂ：位置検出部、１１０：撮像部、１５３，１５４：スライドバー、１５５：サブ画像
【図１】
2016065998.tif 000003
【図２】
2016065998.tif 000004
【図３】
2016065998.tif 000005
【図４】
2016065998.tif 000006
【図５】
2016065998.tif 000007